(57)【要約】【課題】本発明は、ファンコイル機能にヒートポンプ式の冷凍サイクルを付加することを前提として、能力可変が可能で、冷暖房運転および除湿運転を自由に選択できる空気調和装置を提供する。【解決手段】室内空気の通風路１に配置されるファンコイル２および空気熱交換器３と、圧縮機１３、四方弁１２、空気熱交換器３、減圧装置１１、水／冷媒熱交換器９を連通す冷凍サイクルＲと、熱源水を水／水熱交換器６からファンコイルと水／水熱交換器から水／冷媒熱交換器を介して熱源に戻す第１の流路Ａおよびファンコイルから導出される熱源水を水／水熱交換器に通さずに直接水／冷媒熱交換器に導く第２の流路Ｂを有する熱源水循環回路Ｎと、第１の流路および第２の流路を切換え制御する三方弁７と、冷凍サイクルおよび三方弁を制御する制御部１５とを具備する。【選択図】      図１
2005134088.tif 000002
【特許請求の範囲】
【請求項１】
室内空気の通風路に配置され、熱源水の導通路を備えたファンコイルおよび冷媒の導通路を備えた空気熱交換器と、
圧縮機、四方弁、上記空気熱交換器、減圧装置、熱源水と冷媒の導通路を備えた水／冷媒熱交換器が順次冷媒管を介して連通されるヒートポンプ式の冷凍サイクルと、
熱源から熱源水を、一対の熱源水の導通路を備えた水／水熱交換器に導き、さらに上記ファンコイルに導いてから再び上記水／水熱交換器に導き、さらに上記水／冷媒熱交換器を介して熱源へ戻す第１の流路および、この第１の流路において上記ファンコイルから導出される熱源水を上記水／水熱交換器に通さずに直接、上記水／冷媒熱交換器へ導く第２の流路を有する水循環手段と、
熱源水を第１の流路と第２の流路に切換え制御する流路制御手段と、
上記冷凍サイクルおよび上記流路制御手段を制御する運転制御手段と
を具備することを特徴とする空気調和装置。
【請求項２】
上記流路制御手段は、三方弁もしくは、上記第１の流路および第２の流路にそれぞれ設けられる二方弁からなり、三方弁もしくは各二方弁は第１の流路と第２の流路のいずれか一方のみに熱源水が流れるように開閉制御されることを特徴とする請求項１記載の空気調和装置。
【請求項３】
上記流路制御手段は、上記第１の流路に設けられる抵抗手段および第２の流路に設けられる二方弁からなり、上記第１の流路には上記抵抗手段を介して常時熱源水が流れるように制御されることを特徴とする請求項１記載の空気調和装置。
【請求項４】
上記流路制御手段は、熱源水として冷水の供給時に冷凍サイクルによる暖房運転を行うとき、および熱源水として温水の供給時に冷凍サイクルによる冷房運転を行うときは、上記第２の流路を閉じてファンコイルから導出される熱源水を上記第１の流路に導き、
熱源水または熱源水と冷凍サイクルによる冷暖房運転時には、上記第１の流路を閉じてファンコイルから導出される熱源水を上記第２の流路に導くように制御することを特徴とする請求項１および請求項２のいずれかに記載の空気調和装置。
【請求項５】
上記運転制御手段は、ファンコイルへ冷水を導くとともに冷凍サイクルで暖房運転を行い、もしくはファンコイルへ温水を導くとともに冷凍サイクルで冷房運転を行うように制御して、等温（加熱）除湿運転を切換え可能としたことを特徴とする請求項１ないし請求項４のいずれかに記載の空気調和装置。
【請求項６】
上記ファンコイルは、上記空気熱交換器の風上側に配置されることを特徴とする請求項１ないし請求項５のいずれかに記載の空気調和装置。
【発明の詳細な説明】
【技術分野】
【０００１】
本発明は、たとえば蓄熱源から冷水もしくは温水を供給して冷房もしくは暖房を行うファンコイル機能にヒートポンプ式の冷凍サイクルを付加し、冷暖房運転および除湿運転を自由に設定することができる空気調和装置に関する。
【背景技術】
【０００２】
たとえば蓄熱源から冷水もしくは温水を供給して冷房もしくは暖房を行うファンコイル機能に、ヒートポンプ式の冷凍サイクルを付加し組合せた技術が、［特許文献１］に開示されている。  
特に、［特許文献１］の第４図に示されているように、室内空気を導く風路（ダクト）中に、熱源水を導くファンコイル（水対空気熱交換器）および冷凍サイクルの室内熱交換器に相当する空気熱交換器（冷媒対空気熱交換器）が配置される。冷凍サイクルは、圧縮機、四方弁、減圧装置、上記空気熱交換器の他に、室外熱交換器に相当する水対冷媒熱交換器を備えている。そして、蓄熱源から導かれる熱源水をファンコイルもしくは水対冷媒熱交換器、もしくはその両方に切換え案内する三方弁を備えた回路を備えている。
【０００３】
通常の冷暖房は、冷凍サイクルを停止し三方弁を切換えて熱源水をファンコイルに導びき、室内空気と熱交換させる。また、三方弁を切換えて冷凍サイクルを駆動し熱源水を水対冷媒熱交換器に循環させれば、熱源水を熱源とするヒートポンプサイクルとなり、空気熱交換器において冷風または温風を得られる。このときファンコイルには熱源水が導かれないので、ここでの熱交換作用はない。  
冷凍サイクルによる冷暖房運転時に、さらに冷暖房能力の性能アップが要求されると、三方弁は熱源水をファンコイルおよび水対冷媒熱交換器の両方に同時に流すよう制御される。ファンコイルと空気熱交換器を併用することになり、より大きな熱負荷に対処できる、とある。
【特許文献１】特公平６−６８３９２号公報
【発明の開示】
【発明が解決しようとする課題】
【０００４】
しかしながら、上記のものは以下のような欠点がある。  
蓄熱源から温度の高い温水を供給しているときに、冷凍サイクルでの冷房運転が選択される場合がある。このとき、冷凍サイクルの運転にともなって三方弁が切換ってしまい、温度の高い温水が直接、冷凍サイクルの凝縮器となる水対冷媒熱交換器に導かれ放熱する。したがって、冷凍サイクルの高圧上昇が顕著となり、それによるサイクル効率の低下をきたす。
【０００５】
逆に、蓄熱源から温度の低い冷水を導いているときに、冷凍サイクルでの暖房運転が選択される場合がある。このときも、冷凍サイクルの運転にともなって三方弁が切換ってしまい、温度の低い冷水が直接、冷凍サイクルの蒸発器となる水対冷媒熱交換器に導かれ吸熱する。したがって、冷凍サイクルの低圧降下が顕著となり、それによるサイクル効率の低下をきたす。
【０００６】
そして、ファンコイル機能による冷暖房では、ファンまたは熱源水の通水のオン−オフでしか能力制御ができず、そのため室内の温度変動が大きくなり快適性が損なわれる。三方弁の切換えでファンコイルに通水されない状態が長時間継続すると、ファンコイル内に熱源水が滞留して、内部の腐蝕または冷温水の変質が起き易い。また、必要に応じて、室内温度の変化がない状態で除湿する等温除湿が求められる場合もあるが、上述の技術ではその要望を満たせないでいる。
【０００７】
本発明は上記課題に着目してなされたもので、その目的とするところは、ファンコイル機能にヒートポンプ式の冷凍サイクルを付加することを前提として、能力可変が可能で、冷暖房運転および除湿運転を自由に選択できる空気調和装置を提供しようとするものである。
【課題を解決するための手段】
【０００８】
本発明は上述の目的を満足するためになされたものであり、熱源水の導通路を備えたファンコイルおよび冷媒の導通路を備えた空気熱交換器が室内空気の通風路に配置され、ヒートポンプ式の冷凍サイクルとして圧縮機、四方弁、空気熱交換器、減圧装置、熱源水と冷媒の導通路を備えた水／冷媒熱交換器が順次冷媒管を介して連通され、水循環手段として熱源から熱源水を一対の熱源水の導通路を備えた水／水熱交換器に導きさらにファンコイルに導いてから再び水／水熱交換器に導きさらに水／冷媒熱交換器を介して熱源へ戻す第１の流路および、この第１の流路においてファンコイルから導出される熱源水を水／水熱交換器に通さずに直接水／冷媒熱交換器へ導く第２の流路を有し、流路制御手段は熱源水を第１の流路と第２の流路に切換え制御し、運転制御手段は冷凍サイクルおよび流路制御手段を制御する。
【発明の効果】
【０００９】
本発明によれば、ファンコイル機能にヒートポンプ式の冷凍サイクルを付加することを前提として、能力可変が可能で、冷暖房運転および除湿運転を自由に選択できるという効果を奏する。
【発明を実施するための最良の形態】
【００１０】
［実施例１］
以下、図面を参照して本発明の実施例に係る空気調和装置について説明する。図１は、空気調和装置の構成を概略的に示す図である。  
図中１は、被空調室に連通する通風路（ダクト）であり、この通風路１内における風上側に、熱源水の導通路を備えて熱源水と通風路１に導かれる室内空気とを熱交換できるファンコイル２が配置される。上記通風路１内のファンコイル２風下側には、冷凍サイクルＲの室内熱交換器に相当する空気熱交換器３が配置され、冷媒と通風路１に導かれる室内空気とを熱交換できる。さらに、ファンコイル２および空気熱交換器３の風下側には被空調室内の空気を送風する送風機４が設置される。
【００１１】
一方、通風路１内もしくは外部の所定の部位にメインユニットＭが配置されていて、このメインユニットＭには冷凍サイクルＲを構成する、圧縮機１３、四方弁１２、電子膨張弁（減圧装置）１１、室外熱交換器に相当する後述する水／冷媒熱交換器９など上記空気熱交換器３を除いて配置され、これら構成部品は冷媒管Ｐを介して連通される。上記電子膨張弁１１は、上記水／冷媒熱交換器９と空気熱交換器３の中間に配置され、適度な絞りを与えて冷媒の過熱度を制御する。上記水／冷媒熱交換器９は冷媒を導く導通路と、熱源水を導く導通路を備えていて、冷媒と熱源水との熱交換ができる。
【００１２】
さらにメインユニットＭには、図示しない蓄熱源から熱源水である冷水または温水を導く熱源水入口部５と、蓄熱源へ熱源水を戻す熱源水出口部１０を備えている。これら熱源水入口部５と熱源水出口部１０は、メインユニットＭ内に収容される熱源水循環回路（水循環手段）Ｎの入口部と出口部を構成している。  
熱源水循環回路Ｎとして、蓄熱源から熱源水入口部５に導かれる熱源水を、後述する水／水熱交換器６を介して上記ファンコイル２に導き、このファンコイル２から導出される熱源水を三方弁（流路制御手段）７の切換え動作にもとづいて再び上記水／水熱交換器６へ導き、さらに上記水／冷媒熱交換器９に導いてから熱源水出口部１０を介して蓄熱源へ戻す第１の流路Ａを備えている。
【００１３】
そして上記熱源水循環回路Ｎは、上記ファンコイル２から導出される熱源水を上記三方弁７の切換え動作にもとづいて水／水熱交換器６に通さずに直接、上記水／冷媒熱交換器９へ導く第２の流路Ｂを備えている。  
上記水／水熱交換器６には、２本の熱源水導通路が互いに交差して備えられている。上記熱源水入口部５と上記ファンコイル２に連通する熱源水導通路と、三方弁７と水／冷媒熱交換器９導入側とを連通する熱源水導通路であり、これら熱源水導通路を導かれる間に互いの熱源水は熱交換される。
【００１４】
さらに空気調和装置は、使用者において運転モード・風量・設定温度の指示をなすための遠隔操作盤（リモコン）と、この遠隔操作盤での指示にもとづいて送風機４、圧縮機１３、電子膨張弁１１および三方弁７などを制御し、最適な運転を実施するための制御部（運転制御手段）１５を備えている。  
なお、上記電子膨張弁１２は固定絞りのキャピラリーチューブ等で代行できる。図中では通風路１中にファンコイル２、空気熱交換器３および送風機４のみ示しているが、他の構成要素も送風径路を確保した状態で通風路１内に収納してもよい。さらに、圧縮機１３は回転数変更等の能力を可変できるものでもよい。
【００１５】
つぎに、このようにして構成される空気調和装置の各運転モードでの作用を説明する。運転モードは使用者のリモコンに対する運転モード指示と、設定温度と、現在の被空調空間の温度および、熱源水入口部５における水温により決定される。以下の［表１］は、各運転モードと、それぞれの運転モードに対応する制御条件を示している。
【表１】
2005134088.tif 000003
【００１６】
以下、表１の内容を具体的に説明する。  
（１）通常冷房運転と通常暖房運転  
必要冷暖房能力がそれほど大きくなく、かつ冷房時に２５℃未満の冷水が供給され、暖房時に２５℃以上の温水が供給されている場合は、制御部１５から圧縮機１３の停止が指令されて空気熱交換器３は熱交換作用せず、ファンコイル２のみ機能する。
【００１７】
このとき制御部１５は三方弁７を切換えて第２の流路Ｂに熱源水を循環させ、第１の流路Ａには熱源水が流れないように制御する。蓄熱源の熱源水は熱源水入口部５から水／水熱交換器６を介してファンコイル２へ導かれる。ファンコイル２から導出される熱源水は、三方弁７から水／冷媒熱交換器９に導かれ、さらに熱源水出口部１０から排出されて蓄熱源に戻される。
【００１８】
この運転モードでは、上記水／水熱交換器６において熱源水入口部５とファンコイル２に連通する熱源水導通路にのみ熱源水が導かれ、三方弁７と水／冷媒熱交換器９の熱源水導入側を連通する熱源水導通路には熱源水が導かれない。そのため、水／水熱交換器６において熱源水相互の熱交換作用は行われず、かつ冷凍サイクル運転を停止しているため水／冷媒熱交換器９においても熱交換作用はない状態で熱源水が導かれる。
【００１９】
結局、ファンコイル２において通風路１に導かれる室内空気と熱交換するのみであり、熱源水循環回路Ｎに冷水が導かれていれば室内の冷房作用をなし、熱源水循環回路Ｎに温水が導かれていれば室内の暖房をなす。このとき、リモコンに対する設定温度と現在室温との差によって行う能力調整は、送風機４の送風量を大とすることで能力大の要求を満足でき、送風機４の送風量を小とすることで能力小の要求を満足できる。
【００２０】
（２）高能力冷房運転と高能力暖房運転  
上記（１）通常冷暖房の運転条件を継続している間に、設定温度と現在室温の差が大きくなりファンコイル機能のみでは能力不足になった場合、冷凍サイクル運転をなして能力を増加させる高能力冷暖房運転を行う。  
このとき、熱源水循環回路Ｎにおける三方弁７の切換え方向に変化がなく先に説明した通常の冷暖房運転と同様であるが、制御部１５は冷凍サイクルＲを構成する圧縮機１３の駆動を開始するとともに、四方弁１２の切換え制御をなす。
【００２１】
たとえば、冷水供給中に高能力冷房運転の指示がある場合、蓄熱源から熱源水入口部５に導かれる冷水は水／水熱交換器６の一方の熱源水導通路のみ導通し他方の熱源水導通路には導かれないので、冷水は水／水熱交換器６で温度上昇することなくファンコイル２に導かれ、通風路１の室内空気から吸熱する。すなわち、ファンコイル２は室内空気中に冷熱を放出し、室内空気は温度低下して冷気に変わり、ファンコイル２の風下側に配置される空気熱交換器３に導かれる。
【００２２】
同時に冷凍サイクル運転が行われて、水／冷媒熱交換器９で冷媒が凝縮し、空気熱交換器３では冷媒が蒸発して、ファンコイル２を流通したあとの冷気から蒸発潜熱を奪う。冷気はさらに温度低下した冷気に変わり、室内へ送風される。したがって、高能力冷房が得られる。  
なお、ファンコイル２で吸熱を終了した冷水は三方弁７から第２の流路Ｂを経由して水／冷媒熱交換器９に導かれる。この水／冷媒熱交換器９では冷媒の凝縮作用が行われているので、冷水は冷媒と熱交換して凝縮熱を吸収する。水／冷媒熱交換器９は水熱交換器として用いられることになり、ここでの吸熱が冷凍サイクルＲにおける冷房熱量として利用され、ファンコイル機能のみと比べて利用温度差が取れ効率のよい冷房となる。
【００２３】
温水供給中に高能力暖房運転の指示がある場合は、蓄熱源から熱源水入口部５に導かれる温水が水／水熱交換器６で温度低下することなくファンコイル２に導かれ、室内空気へ放熱する。ファンコイル２が室内空気中に温熱を放出することで室内空気は温度上昇して暖気に変わり、空気熱交換器３に導かれる。  
同時に冷凍サイクル運転が行われて、水／冷媒熱交換器９で冷媒が蒸発し、空気熱交換器３では冷媒が凝縮して、ファンコイル２から導かれる暖気へ凝縮熱を放出する。暖気はさらに温度上昇した暖気に変わり、室内へ送風される。したがって、高能力暖房が得られる。
【００２４】
なお、ファンコイル２で放熱を終了した温水は三方弁７から第２の流路Ｂを経由して水／冷媒熱交換器９に導かれる。冷媒は、水／冷媒熱交換器９で蒸発していて、蒸発潜熱を放出する。すなわち、ファンコイル２で温度低下した温水は水／冷媒熱交換器９でさらに熱を奪われ、ここでの放熱が冷凍サイクルを介して暖房熱量として利用されるので、ファンコイル機能のみと比べて利用温度差が取れ効率のよい暖房となる。
【００２５】
このようにして、検知水温が２５℃未満の冷水を用いてファンコイル２で冷房をなしていても、設定温度と現在室温の差が大きく、大能力で冷房する要求がある場合は、冷凍サイクルＲによる冷房とファンコイル２による冷房を同時に行うことで要求を満たすことができる。さらに、検知水温が２５℃以上の温水を用いてファンコイル２で暖房をなしていても、設定温度と現在室温の差が大きく、大能力で暖房する要求がある場合は、冷凍サイクルＲによる暖房とファンコイル２による暖房を同時に行うことで要求を満たすことができる。
【００２６】
（３）温水供給時の冷房運転（逆冷房）と冷水供給時の暖房運転（逆暖房）  
蓄熱源から２５℃以上の温水が供給されているが、被空調室における何らかの事情により冷房運転を強調したい要求がある。また、蓄熱源から２５℃未満の冷水が供給されているが、被空調室における何らかの事情により暖房運転を強調したい要求がある。
【００２７】
すなわち、ファンコイル機能による冷房と暖房は使用者の指示によって決定されるが、温水の供給中に冷房運転が要求された場合に、温水をそのままファンコイル２に導いては冷房ができないし、冷水の供給中に暖房運転が要求された場合に、冷水をそのままファンコイル２に導いては暖房ができない。そこで、制御部１５は三方弁７に対して熱源水の導通方向を第２の流路Ｂから第１の流路Ａに切換え制御したうえで、冷凍サイクル運転を開始する。
【００２８】
温水供給時に冷房運転の指示があると、蓄熱源から熱源水入口部５に導かれる温水は水／水熱交換器６の一方の熱源水導通路を導通してからファンコイル２に導かれる。ファンコイル２で温水は室内空気と熱交換して温度低下し、そのあと三方弁７の切換え方向に応じて第１の流路Ａである水／水熱交換器６の他方の熱源水導通路に導かれ、熱源水入口部５を通過した温水と熱交換する。
【００２９】
結局、熱源水入口部５で高温（４５〜５０℃）であった温水が、水／水熱交換器６で熱交換することにより温度低下（略３０℃程度）したあと、ファンコイル２に導かれる。温水は低温の室内空気と熱交換して空気温度（略２５℃程度）に近い温度にまで低下し、さらに熱源水入口部５から導かれる温水と水／水熱交換器６で熱交換する。  
ファンコイル２での暖房能力が無効化し、その一方で冷凍サイクルＲに対する運転が開始される。水／冷媒熱交換器９では冷やされて温度低下した温水と冷媒が熱交換し、冷媒は凝縮して空気熱交換器３に導かれ、ここで蒸発する冷房運転が行われる。空気熱交換器３では、ファンコイル２を流通したあとの空気から蒸発潜熱を奪って冷気に変える、いわゆる“逆冷房”作用を得る。
【００３０】
このようにして、水／水熱交換器６における２本の熱源水導通路に温水を導いて互いに熱交換させるので、ファンコイル２に導かれる温水が室内空気と熱交換する熱量は、温水が直接ファンコイル２に流入する場合に比べて非常に小さくなる。水／水熱交換器６を介することで高温の温水を低温化でき、ファンコイル２での放熱量を小さくできる。他方、空気熱交換器３では冷媒が蒸発する吸熱器として作用するため、ファンコイル２を通過したあとの未だ熱交換されていない空気を確実に、かつ充分に冷却する。
【００３１】
同様にして、冷水供給時に暖房運転の指示があると、蓄熱源から熱源水入口部５に導かれる冷水は水／水熱交換器６の一方の熱源水導通路を導通してからファンコイル２に導かれる。ファンコイル２で冷水は空気と熱交換して温度上昇し、そのあと三方弁７の切換え方向に応じて第１の流路Ａである水／水熱交換器６の他方の熱源水導通路に導かれ、熱源水入口部５を通過した冷水と熱交換する。
【００３２】
結局、熱源水入口部５で低温（１０℃程度）であった冷水が、水／水熱交換器６で熱交換することにより温度上昇（２０℃程度）したあとファンコイル２に導かれる。冷水は室内空気と熱交換して空気温度（２５℃程度）に近い温度にまで上昇し、さらに熱源水入口部４から導かれる低温の冷水と水／水熱交換器６で熱交換する。  
ファンコイル２での冷房能力が無効化し、その一方で冷凍サイクルＲに対する運転が開始される。水／冷媒熱交換器９では温められて温度上昇した冷水と冷媒が熱交換し、冷媒は蒸発して空気熱交換器３に導かれ、ここで凝縮する冷房運転が行われる。空気熱交換器３では、ファンコイル２を流通したあとの空気へ凝縮熱を付与し暖気に変える、いわゆる“逆暖房”作用を得る。
【００３３】
このようにして、水／水熱交換器６における２本の熱源水導通路に冷水を導いて互いに熱交換させるので、ファンコイル２に導かれる冷水が室内空気と熱交換する熱量は、冷水が直接ファンコイル２に流入する場合に比べて非常に小さくなる。水／水熱交換器６を介することで低温の冷水を温度上昇化し、ファンコイル２での吸熱量を小さくできる。他方、空気熱交換器３では冷媒が凝縮する放熱器として作用するため、ファンコイル２を通過したあとの未だ熱交換されていない空気を確実に、かつ充分に温める。
【００３４】
逆冷房と逆暖房ともに、ファンコイル２を出て水／水熱交換器９に流入する熱源水は、ほとんど室温に近い温度まで加熱（冷却）される。そのあと水／冷媒熱交換器９に導かれ、冷凍サイクルの冷媒と熱交換される。したがって、従来のように水／冷媒熱交換器９に直接冷温水を導入する制御と比較して、冷房時は高圧側を低くして高効率と高圧危険防止を図り、暖房時は低圧側を高くして高効率と凍結防止をなす。
【００３５】
（４）除湿運転  
室内温度を変えることなく、湿度の低下を図る除湿運転が指示される場合がある。このとき制御部１５は、熱源水循環回路Ｎに供給される熱源水である冷水と温水の水温に関わらず、先に説明した通常の冷暖房時と同様に三方弁７を第２の流路Ｂ側に切換える。熱源水は、熱源水入口部５から第２の流路Ｂを構成する水／水熱交換器６、ファンコイル２、三方弁７、水／冷媒熱交換器９を介して熱源水出口部１０へ順次導びかれる。
【００３６】
一方、制御部１５は、冷凍サイクルＲに対する制御を、熱源水入口部５における熱源水水温に応じて異ならせる。たとえば、熱源水が２５℃以上の温水であれば冷房サイクルをなし、熱源水が２５℃以下の冷水であれば暖房サイクルをなすよう四方弁１２を切換え制御する。  
２５℃よりも高い温度の温水がファンコイル２に導かれると、室内空気中に放熱して一旦、室内空気を温度上昇させるが、冷凍サイクルＲに対して冷房サイクルが選択されているので、空気熱交換器３に導かれる室内空気は冷却される。したがって、空気熱交換器３はファンコイル２を通過した室内空気を露点温度以下に変えて結露を誘発する。ファンコイル２での暖房と、空気熱交換器３での冷房とが相互に動作し、通風路１の出口側においては室内空気の温度を変えず（等温）に除湿ができる。
【００３７】
２５℃よりも低い温度の冷水がファンコイル２に導かれると、室内空気から吸熱して一旦、室内空気を温度低下させるが、冷凍サイクルＲに対して暖房サイクルが選択されているので、空気熱交換器３に導かれる室内空気は加熱される。したがって、空気熱交換器３はファンコイル２を通過した室内空気を露点温度以下に変えて結露を誘発する。ファンコイル２での冷房と、空気熱交換器３での暖房とが相互に動作し、通風路１の出口側においては空気温度の温度を変えず（等温）に除湿ができる。
【００３８】
このようにして本発明によれば、熱源水の温度に応じて冷暖房能力を発揮するファンコイル機能に対して、冷凍サイクルＲにおける空気冷却加熱用熱交換器である空気熱交換器３を加えるとともに水／水熱交換器６を備えている。そして、熱源水を略空気温度に近いファンコイル２を導出された熱源水と選択的に熱交換することで、ファンコイル能力を選択的に小さくすることができる。
【００３９】
ファンコイル機能ばかりでなく、冷水供給時の冷凍サイクル冷房運転と、温水供給時の冷凍サイクル暖房運転では、ファンコイル２と冷凍サイクルＲの能力をプラスする大能力運転が可能となる。そして、冷水供給時の暖房（逆暖房）では、ファンコイル２に導かれる冷水を事前に温めることで、ファンコイル２の性能を下げつつ冷凍サイクルＲで暖房ができる。冷凍サイクルＲの吸熱側（水／冷媒熱交換器９）では、室内からの熱を再吸熱することで効率のよい運転ができる。
【００４０】
また、温水供給時の冷房（逆冷房）では、ファンコイル２に導かれる温水を事前に冷却することで、ファンコイル２の性能を下げつつ冷凍サイクルＲで冷房ができる。冷凍サイクルＲの吸熱側（水／冷媒熱交換器９）では、室内からの熱を再放熱することで効率のよい運転ができる。  
さらに、ファンコイル２で得られる熱量と、冷凍サイクルＲに対する運転を自由に組合せることで、等温除湿などの運転を自由に設定できる。  
なお、本実施例では、ファンコイル２を風上側に有しているが、被空調空間の特性により温水（または２０℃前後の水）が使用されることが多い条件下で等温除湿要求がある場合には、他の冷暖房性能が若干犠牲にされるが、空気熱交換器３を風上側に設置して、除湿効果を高めるなどの変更も可能である。
【００４１】
また、第１の流路Ａと第２の流路Ｂに対する流路制御手段として三方弁７を備えたが、これに限定されるものではなく、第１の流路Ａと第２の流路Ｂにそれぞれ二方弁を備えて、互いに逆の開閉操作をしてもよい。  
あるいは、第１の流路Ａに流動抵抗の高いキャピラリーチューブ（抵抗手段）を設置し、第２の流路Ｂに二方弁を設置してもよい。この場合、第２の流路Ｂに熱源水を流したいときは二方弁を開放し、第１の流路Ａに熱源水を流したいときは二方弁を閉成にすることで、水／水熱交換器６に常時熱源水が流れるようにして、錆などによる水／水熱交換器６の詰りを防止するなどの変更は可能である。
【００４２】
上記圧縮機１３を能力制御するため、回転数の変更で対応することのみならず、熱源水の入口部５または出口部１０に循環量可変機構（ポンプまたは流量調整弁等）を設けて、熱源水の流量を制御することによる対応であってもよい。さらに、ファンコイル２と空気熱交換器３を横に並べて配置してもよい。  
また、本発明は上述の実施例および変形例に限定されるものではなく、本発明の要旨を越えない範囲内でさらに種々変形実施が可能であり、本願発明はこれらの全てを完全に包含するものである。
【図面の簡単な説明】
【００４３】
【図１】本発明の実施例を示す空気調和装置の概略の構成と配管図。
【符号の説明】
【００４４】
１…通風路、２…ファンコイル、３…空気熱交換器、１３…圧縮機、１２…四方弁、１１…減圧装置（電子膨張弁）、９…水／冷媒熱交換器、Ｒ…冷凍サイクル、６…水／水熱交換器、Ａ…第１の流路、Ｂ…第２の流路、Ｎ…熱源水循環回路（水循環手段）、７…三方弁（流路制御手段）、１５…制御部（運転制御手段）。
【図１】
2005134088.tif 000004